(57)【要約】【課題】  複数の面を組み合わせたデジタルサイネージを実現する。【解決手段】  画像投影システムであって、所定領域に含まれる複数の面の位置及び大きさに基づいて、１の画像を複数の分割画像に分割する分割手段と、前記複数の面それぞれに対応する投影装置を介して、前記複数の分割画像を、前記複数の面に対応する投影面それぞれに投影するよう制御する制御手段とを有することを特徴とする。【選択図】図３
2018036478.tif 000002
【特許請求の範囲】
【請求項１】
所定領域に含まれる複数の面の位置及び大きさに基づいて、１の画像を複数の分割画像に分割する分割手段と、
前記複数の面それぞれに対応する投影装置を介して、前記複数の分割画像を、前記複数の面に対応する投影面それぞれに投影するよう制御する制御手段と
を有することを特徴とする画像投影システム。
【請求項２】
前記分割手段は、
前記所定領域に含まれる複数の面の位置及び大きさに基づいて、１の画像を複数の第１の分割画像に分割する第１の分割手段と、
前記第１の分割手段により分割された前記複数の第１の分割画像を、それぞれが投影される前記面に対応する前記投影装置の数に基づいて更に分割することで、１の面に対して、前記投影装置の数に応じた所定数の第２の分割画像を生成する第２の分割手段と、を有し、
前記制御手段は、
前記所定数の第２の分割画像を、前記１の面に対応する前記投影装置であって、前記所定数の第２の分割画像それぞれに対応する前記投影装置を介して投影するよう制御することを特徴とする請求項１に記載の画像投影システム。
【請求項３】
前記第１の分割画像を幾何学的に補正する補正手段を更に有し、
前記第２の分割手段は、
前記第１の分割手段により分割された前記複数の第１の分割画像であって、前記補正手段により幾何学的に補正された該複数の第１の分割画像を、それぞれが投影される前記面に対応する前記投影装置の数に基づいて分割することで、前記所定数の第２の分割画像を生成することを特徴とする請求項２に記載の画像投影システム。
【請求項４】
前記複数の面ごとに、前記第１の分割画像を補正するための補正パラメータを算出する算出手段と、
前記第１の分割画像を格納する格納手段と、
前記補正手段により前記第１の分割画像が補正された後に、前記算出手段により前記補正パラメータが算出された場合に、前記格納手段に格納された前記第１の分割画像を、前記算出手段により算出された該第１の分割画像を補正するための補正パラメータを用いて再補正し、再補正した該第１の分割画像を、該第１の分割画像が投影される前記面に対応する前記投影装置の数に基づいて分割することで、前記所定数の第２の分割画像を再生成する再生成手段と
を更に有することを特徴とする請求項３に記載の画像投影システム。
【請求項５】
前記１の画像は、左右が反転された画像であることを特徴とする請求項１乃至４のいずれか１項に記載の画像投影システム。
【請求項６】
前記分割手段は、動画像をデコード処理することで抽出される各フレームの画像それぞれを前記複数の分割画像に分割し、
前記制御手段は、
前記各フレームの画像それぞれから分割された前記複数の分割画像が、前記複数の面ごとにデコード処理されることで生成された複数の動画像を、前記複数の面に対応する投影面それぞれに投影するよう制御することを特徴とする請求項１に記載の画像投影システム。
【請求項７】
前記所定数の第２の分割画像を、前記１の面に対応する前記投影装置であって、前記所定数の第２の分割画像それぞれに対応する前記投影装置に送信する送信手段を更に有し、
前記制御手段は、
所定のタイミングで、前記１の面に対応する前記投影装置に対して指示を送信することで、前記所定数の第２の分割画像を、前記１の面に対応する投影面に投影するよう制御することを特徴とする請求項３に記載の画像投影システム。
【請求項８】
前記制御手段は、
投影時間を定めたスケジュール情報に基づいて算出したタイミングで、前記１の面に対応する前記投影装置に対して前記指示を送信することを特徴とする請求項７に記載の画像投影システム。
【請求項９】
前記複数の面に対応する投影面は、それぞれ、光の透過度を変更するように動作するスクリーンを含み、
前記制御手段は、更に、
所定のタイミングで、前記複数のスクリーンそれぞれの動作を制御することを特徴とする請求項１に記載の画像投影システム。
【請求項１０】
前記制御手段は、更に、
所定のタイミングで、前記複数の面のうちのいずれかの面に対応する電飾装置の動作を制御することを特徴とする請求項９に記載の画像投影システム。
【請求項１１】
前記複数の面それぞれは、前記所定領域において互いに所定量の間隔をあけて配置され、前記分割手段は、前記１の画像と前記所定領域との対比に応じて、前記複数の面それぞれに対応する分割画像を、前記１の画像から切り出すことを特徴とする請求項１に記載の画像投影システム。
【請求項１２】
所定領域に含まれる複数の面の位置及び大きさに基づいて、１の画像を複数の分割画像に分割する分割手段と、
前記複数の面それぞれに対応する投影装置を介して、前記複数の分割画像を、前記複数の面に対応する投影面それぞれに投影するよう制御する制御手段と
を有することを特徴とする情報処理装置。
【請求項１３】
所定領域に含まれる複数の面の位置及び大きさに基づいて、１の画像を複数の分割画像に分割する分割工程と、
前記複数の面それぞれに対応する投影装置を介して、前記複数の分割画像を、前記複数の面に対応する投影面それぞれに投影するよう制御する制御工程と
を有することを特徴とする画像投影方法。
【請求項１４】
所定領域に含まれる複数の面の位置及び大きさに基づいて、１の画像を複数の分割画像に分割する分割工程と、
前記複数の面それぞれに対応する投影装置を介して、前記複数の分割画像を、前記複数の面に対応する投影面それぞれに投影するよう制御する制御工程と
をコンピュータに実行させるためのプログラム。
【発明の詳細な説明】
【技術分野】
【０００１】
本発明は、画像投影システム、情報処理装置、画像投影方法及びプログラムに関する。
【背景技術】
【０００２】
近年、プロジェクタなどの画像投影装置に動画像等のコンテンツを配信し、屋外や店頭、公共空間等に設置された大画面に、当該コンテンツを投影するデジタルサイネージが広く利用されている。デジタルサイネージの場合、時間や場所に適したコンテンツをリアルタイムに投影できるため、高い広告効果が期待できる。
【発明の概要】
【発明が解決しようとする課題】
【０００３】
一方で、上記のような画像投影装置を用いた大規模なデジタルサイネージを実現するためには、投影対象として一定程度の大きさの平坦面が必要となる。このため、画像投影装置を用いたデジタルサイネージの場合、予め大画面を設置しておくか、建物の側壁面等のように、一体的な平面を利用して投影を行う必要があり、実現可能な場所に限りがあるという問題がある。
【０００４】
これに対して、例えば、建物（特に中高層ビル）の窓ガラス（光透過面）のような、所定領域に含まれる複数の面を組み合わせて利用することで、１つのデジタルサイネージを実現することができれば、デジタルサイネージの適用範囲を広げることができる。
【０００５】
本発明は、上記課題に鑑みてなされたものであり、複数の面を組み合わせたデジタルサイネージを実現することを目的とする。
【課題を解決するための手段】
【０００６】
本発明の各実施形態に係る画像投影システムは、以下のような構成を有する。即ち、
所定領域に含まれる複数の面の位置及び大きさに基づいて、１の画像を複数の分割画像に分割する分割手段と、
前記複数の面それぞれに対応する投影装置を介して、前記複数の分割画像を、前記複数の面に対応する投影面それぞれに投影するよう制御する制御手段とを有する。
【発明の効果】
【０００７】
本発明の各実施形態によれば、複数の面を組み合わせたデジタルサイネージを実現することができる。
【図面の簡単な説明】
【０００８】
【図１】画像投影システムの適用例を示す図である。
【図２】建物の各窓ガラスに対応する位置に配置された各サイネージ装置の動作を説明するための図である。
【図３】画像投影システムのシステム構成の一例を示す図である。
【図４】情報処理装置のハードウェア構成の一例を示す図である。
【図５】サイネージ対象情報の一例を示す図である。
【図６】画像情報の一例を示す図である。
【図７】スケジュール情報の一例を示す図である。
【図８】サイネージ処理の流れを示すフローチャートである。
【図９】情報処理装置の校正部の機能構成を示す図である。
【図１０】第１の校正処理のシーケンス図である。
【図１１】第１の校正処理時に表示される情報処理装置の画面の一例を示す図である。
【図１２】第１の校正処理時に投影される校正パターン画像の一例を示す図である。
【図１３】第１の校正処理時に投影される校正パターン画像の他の一例を示す図である。
【図１４】第２の校正処理のシーケンス図である。
【図１５】第２の校正処理時に投影される白画像の一例を示す図である。
【図１６】情報処理装置の画像処理部の機能構成を示す図である。
【図１７】画像処理の具体例を示す図である。
【図１８】画像処理の流れを示すフローチャートである。
【図１９】第１分割処理の流れを示すフローチャートである。
【図２０】第１分割処理の一例を示す図である。
【図２１】情報処理装置のサイネージ制御部の機能構成を示す図である。
【図２２】サイネージ制御処理（起動）の流れを示すフローチャートである。
【図２３】所要時間情報の一例及び各サイネージ装置に対する指示タイミングを示す図である。
【図２４】サイネージ制御処理（終了）の流れを示すフローチャートである。
【図２５】所要時間情報の一例及び各サイネージ装置に対する指示タイミングを示す図である。
【図２６】情報処理装置の監視部の機能構成を示す図である。
【図２７】監視処理の流れを示すフローチャートである。
【発明を実施するための形態】
【０００９】
以下、各実施形態の詳細について添付の図面を参照しながら説明する。なお、各実施形態に係る明細書及び図面の記載に際して、実質的に同一の機能構成を有する構成要素については、同一の符号を付することにより重複した説明を省く。
【００１０】
［第１の実施形態］
＜１．画像投影システムの適用例＞
はじめに、第１の実施形態に係る画像投影システムの適用例について説明する。図１は、画像投影システムの適用例を示す図である。図１の例は、中層のビルである建物１１０の外面に取り付けられた複数の窓ガラス（光透過面）を組み合わせて利用することで、大規模なデジタルサイネージを実現した様子を示している。
【００１１】
図１に示すように、建物１１０の道路側の外面には、複数の窓ガラス（窓ガラス群１２０）が所定量の間隔をあけて取り付けられている（図１の例では、３０枚の窓ガラス）。第１の実施形態に係る画像投影システムでは、建物１１０の外面に取り付けられた複数の窓ガラス（窓ガラス群１２０）それぞれに対して、内側から投影用動画像群１３０に含まれる各投影用動画像を投影する。
【００１２】
これにより、第１の実施形態に係る画像投影システムによれば、窓ガラス３０枚分の領域からなる、大規模なデジタルサイネージ（図１の例は、巨大なツリーが表示されたシーンを示している）を実現することができる。また、道路側の外面等の比較的目立つ場所において、デジタルサイネージを実現することができる。つまり、広告効果の高いデジタルサイネージを実現することができる。
【００１３】
また、第１の実施形態に係る画像投影システムによれば、従来のように、予め設置されている大画面や、窓ガラスのない建物の側壁面等を利用するデジタルサイネージと比較して、デジタルサイネージの適用範囲を広げることができる。
【００１４】
更に、第１の実施形態に係る画像投影システムでは、窓ガラスに既に設置されている電飾装置群１４０の動作もあわせて制御する。これにより、第１の実施形態に係る画像投影システムによれば、投影用動画像群１３０の投影に応じて電飾装置群１４０を制御することが可能となり、視覚効果の高いデジタルサイネージを実現することができる。
【００１５】
＜２．サイネージ装置の動作＞
次に、第１の実施形態に係る画像投影システムを構成する各サイネージ装置（本実施形態では、プロジェクタ（投影装置）、電動スクリーン（投影面）、電飾装置を指すものとする）の動作について説明する。
【００１６】
図２は、建物の各窓ガラスに対応する位置に配置された各サイネージ装置の動作を説明するための図である。図２（Ａ）の（ａ）〜（ｄ）は、建物１１０の各窓ガラスの内側に配置された各サイネージ装置のうち、プロジェクタ及び電動スクリーンの動作を示している。
【００１７】
図２（Ａ）の（ａ）に示すように、建物１１０の各窓ガラスの内側には、プロジェクタが上下に配置されており、１枚の窓ガラスに対して、２台のプロジェクタ（上側プロジェクタ及び下側プロジェクタ）を用いて投影用動画像が投影される。これにより、窓ガラスのサイズが大きい場合でも適切な投影用動画像を投影することができる。
【００１８】
また、図２（Ａ）の（ｂ）に示すように、建物１１０の各窓ガラスの内側には、電動スクリーンが配置されている。プロジェクタを用いて投影用動画像を投影するにあたっては、電動スクリーンをＯＮ状態にすることで光透過度を変化させ、各窓ガラスを半透明の状態にする。なお、電動スクリーン（投影面）は、窓ガラス（投影対象）とともに光透過面を形成する。
【００１９】
図２（Ａ）の（ｃ）は、電動スクリーンをＯＮ状態にした後に、上側プロジェクタ及び下側プロジェクタのランプをＯＮ状態にした様子を示している。上側プロジェクタは、窓ガラスの上側を投影範囲とし、下側プロジェクタは、窓ガラスの下側を投影範囲としている。なお、上側プロジェクタ及び下側プロジェクタは、それぞれ投影範囲の一部が重複するように調整されている。つまり、本実施形態では、２台のプロジェクタにより、窓ガラスの大きさに応じた投影範囲への投影用動画像の投影を実現している。
【００２０】
図２（Ａ）の（ｄ）は、上側プロジェクタ及び下側プロジェクタにより、投影用動画像が投影された様子を示している。本実施形態に係る画像投影システムでは、窓ガラス群１２０に含まれる各窓ガラスそれぞれに対応する各電動スクリーンそれぞれに投影用動画像が投影されることで、全体として、１つのデジタルサイネージを実現する。このため、各窓ガラスに対応する各電動スクリーンに対しては、元の動画像（広告主が提供する動画像）の一部の領域の動画像に基づいて生成された投影用動画像が上下に分割されて、２台のプロジェクタにより投影されることになる。
【００２１】
なお、図２（Ｂ）に示すように、第１の実施形態に係る画像投影システムでは、投影用動画像群１３０の投影が終了した状態で、電飾装置群１４０（電飾装置１４０＿１〜１４０＿６）がＯＮ状態になり、かつ電動スクリーンがＯＦＦ状態になるよう制御する。
【００２２】
つまり、第１の実施形態に係る画像投影システムでは、上側プロジェクタ、下側プロジェクタ、電動スクリーン及び電飾装置群１４０が互いに連動して動作する。
【００２３】
＜３．画像投影システムのシステム構成＞
次に、第１の実施形態に係る画像投影システムのシステム構成について説明する。図３は、画像投影システムのシステム構成の一例を示す図である。図３に示すように、画像投影システム３００は、プロジェクタ３１０＿１ａ〜３１０＿３０ｂ、外部メモリ３２０＿１ａ〜３２０＿３０ｂ、電動スクリーン３３０＿１〜３３０＿３０、制御装置３４０、電飾装置１４０＿１〜１４０＿６を有する。また、画像投影システム３００は、時刻サーバ３６０、情報処理装置３７０、撮像装置３８１、色彩輝度計３８２を有する。
【００２４】
なお、プロジェクタ３１０＿１ａ〜３１０＿３０ｂ、制御装置３４０及び時刻サーバ３６０と、情報処理装置３７０とは、ネットワーク３９０を介して接続されている。
【００２５】
プロジェクタ３１０＿１ａ〜３１０＿３０ｂは、建物１１０の外面の所定領域に取り付けられた窓ガラス群１２０それぞれの内側において、上下に配置される。上述したとおり、建物１１０の外面の所定領域には、３０枚の窓ガラスが取り付けられているため、本実施形態では、６０台のプロジェクタが配置される。
【００２６】
プロジェクタ３１０＿１ａ〜３１０＿３０ｂは、それぞれ、投影対象となる窓ガラスの大きさに応じた投影範囲に、投影用動画像が歪みなく投影されるよう、校正パターン画像を用いて第１の校正処理を実行する。また、プロジェクタ３１０＿１ａ〜３１０＿３０ｂは、それぞれ、投影対象となる窓ガラスに対して、所定の色味で投影用動画像が投影されるよう、白画像を用いて第２の校正処理を実行する。
【００２７】
また、プロジェクタ３１０＿１ａ〜３１０＿３０ｂは、情報処理装置３７０からの投影開始指示に基づいて、外部メモリ３２０＿１ａ〜３２０＿３０ｂにそれぞれ格納された投影用動画像の中から、指定された投影用動画像を読み出す。更に、プロジェクタ３１０＿１ａ〜３１０＿３０ｂは、それぞれが読み出した投影用動画像を投影対象となる窓ガラスに対応する電動スクリーンに投影する。
【００２８】
外部メモリ３２０＿１ａ〜３２０＿３０ｂは、プロジェクタ３１０＿１ａ〜３１０＿３０ｂそれぞれに接続される。外部メモリ３２０＿１ａ〜３２０＿３０ｂは、プロジェクタ３１０＿１ａ〜３１０＿３０ｂそれぞれにより投影される投影用動画像を格納する。なお、ここでいう外部メモリ３２０＿１ａ〜３２０＿３０ｂには、例えば、ＵＳＢ（Universal Serial Bus）メモリ等が含まれる。
【００２９】
電動スクリーン３３０＿１〜３３０＿３０は、建物１１０の外面の所定領域に含まれる窓ガラス群１２０それぞれの内側に配置される。上述したとおり、建物１１０の外面の所定領域には、３０枚の窓ガラスが取り付けられているため、本実施形態では３０台の電動スクリーンが配置される。
【００３０】
電動スクリーン３３０＿１〜３３０＿３０は、電源ケーブルを介して制御装置３４０と接続され、制御装置３４０により、個別にＯＮ状態とＯＦＦ状態とが制御される。電動スクリーン３３０＿１〜３３０＿３０は、制御装置３４０によりＯＮ状態に制御されると、光透過面は光透過度が下がり、半透明の状態になる。一方、電動スクリーン３３０＿１〜３３０＿３０は、制御装置３４０によりＯＦＦ状態に制御されると、光透過面は光透過度が上がり、透明の状態になる。
【００３１】
制御装置３４０は、情報処理装置３７０からのスクリーンＯＮ指示に基づいて、電動スクリーン３３０＿１〜３３０＿３０をＯＮ状態にする。また、制御装置３４０は、情報処理装置３７０からのスクリーンＯＦＦ指示に基づいて、電動スクリーン３３０＿１〜３３０＿３０をＯＦＦ状態にする。
【００３２】
更に、制御装置３４０は、情報処理装置３７０からの電飾ＯＮ指示に基づいて、電飾装置１４０＿１〜１４０＿６をＯＮ状態にする。また、制御装置３４０は、情報処理装置３７０からの電飾ＯＦＦ指示に基づいて、電飾装置１４０＿１〜１４０＿６をＯＦＦ状態にする。
【００３３】
電飾装置１４０＿１〜１４０＿６は、電源ケーブルを介して制御装置３４０と接続され、制御装置３４０により、ＯＮ状態とＯＦＦ状態とが制御される。
【００３４】
時刻サーバ３６０は、プロジェクタ３１０＿１ａ〜３１０＿３０ｂと、情報処理装置３７０との間で、時刻を同期させるために、情報処理装置３７０に時刻情報を提供する。
【００３５】
情報処理装置３７０は、画像投影システム３００におけるサイネージ処理を制御するための装置である。情報処理装置３７０には、校正プログラム、画像処理プログラム、サイネージ制御プログラム、監視プログラムがインストールされている。情報処理装置３７０は、これらのプログラムを実行することで、校正部３７１、画像処理部３７２、サイネージ制御部３７３、監視部３７４として機能する。
【００３６】
校正部３７１は、プロジェクタ３１０＿１ａ〜３１０＿３０ｂとともに、第１の校正処理及び第２の校正処理を実行する。また、校正部３７１は、算出手段として機能し、第１の校正処理を実行することで、プロジェクタ３１０＿１ａ〜３１０＿３０ｂによりそれぞれ投影される投影用動画像の生成の際に用いる補正パラメータを算出する。
【００３７】
更に、校正部３７１は、プロジェクタ３１０＿１ａ〜３１０＿３０ｂとともに、第２の校正処理を実行することで、プロジェクタ３１０＿１ａ〜３１０＿３０ｂに設定するＲＧＢレベルを算出する。
【００３８】
画像処理部３７２は、分割手段の一例である。画像処理部３７２は、サイネージ対象情報管理部３７５に格納されたサイネージ対象情報と、画像情報管理部３７６に格納された画像情報とを読み出し、広告主から提供された元の動画像から投影用動画像を生成する。サイネージ対象とは、画像投影システム３００により大規模なデジタルサイネージが実現される建物１１０を指す。また、サイネージ対象情報は、建物１１０の外面の所定領域に含まれる窓ガラス群１２０の各窓ガラスの位置、大きさ等の情報を含む。更に、画像情報は、投影用動画像の生成の際に用いられる各種画像や補正パラメータ等を管理するための情報を含む。
【００３９】
なお、画像処理部３７２は、投影用動画像の生成に際して、校正部３７１により算出された補正パラメータを用いる。
【００４０】
また、画像処理部３７２は、投影用動画像を生成する過程で生成した、分割静止画像（詳細は後述）を画像情報管理部３７６に格納する。更に、画像処理部３７２は、生成した投影用動画像群の各投影用動画像を、プロジェクタ３１０＿１ａ〜３１０＿３０ｂそれぞれに送信する。これにより、プロジェクタ３１０＿１ａ〜３１０＿３０ｂは、外部メモリ３２０＿１ａ〜３２０＿３０ｂそれぞれに各投影用動画像を格納する。
【００４１】
サイネージ制御部３７３は、制御手段の一例である。サイネージ制御部３７３は、スケジュール情報管理部３７７に格納されたスケジュール情報に基づいて、サイネージ制御処理を行う。具体的には、サイネージ制御部３７３は、投影開始時刻に応じて、プロジェクタ３１０＿１ａ〜３１０＿３０ｂそれぞれに、投影開始指示を送信する。また、サイネージ制御部３７３は、投影開始時刻に応じて、電動スクリーン３３０＿１〜３３０＿３０にスクリーンＯＮ指示を送信する。更に、サイネージ制御部３７３は、投影開始時刻に応じて、電飾装置１４０＿１〜１４０＿６に電飾ＯＦＦ指示を送信する。
【００４２】
監視部３７４は、画像情報管理部３７６に格納された画像情報を監視し、投影用動画像を再生成する必要が生じた場合に、投影用動画像を再生成する。
【００４３】
撮像装置３８１は、プロジェクタ３１０＿１ａ〜３１０＿３０ｂそれぞれが第１の校正処理を実行する際に、プロジェクタ３１０＿１ａ〜３１０＿３０ｂそれぞれが投影した校正パターン画像を撮影し、情報処理装置３７０に送信する。なお、撮像装置３８１と、情報処理装置３７０とは、例えば、ＵＳＢケーブルを介して接続される。
【００４４】
色彩輝度計３８２は、プロジェクタ３１０＿１ａ〜３１０＿３０ｂそれぞれが第２の校正処理を実行する際に、プロジェクタ３１０＿１ａ〜３１０＿３０ｂそれぞれが投影した白画像について、色温度を測定し、測定結果を情報処理装置３７０に送信する。なお、色彩輝度計３８２と、情報処理装置３７０とは、例えば、ＵＳＢケーブルを介して接続される。
【００４５】
＜４．情報処理装置のハードウェア構成＞
次に、情報処理装置３７０のハードウェア構成について説明する。図４は、情報処理装置のハードウェア構成の一例を示す図である。
【００４６】
図４に示すように、情報処理装置３７０は、ＣＰＵ（Central Processing Unit）４０１、ＲＯＭ（Read Only Memory）４０２、ＲＡＭ（Random Access Memory）４０３を備える。ＣＰＵ４０１、ＲＯＭ４０２、ＲＡＭ４０３は、いわゆるコンピュータを形成する。更に、情報処理装置３７０は、補助記憶部４０４、表示部４０５、入力部４０６、ネットワークＩ／Ｆ（Interface）部４０７、ＵＳＢＩ／Ｆ部４０８を備える。なお、情報処理装置３７０の各ハードウェアは、バス４０９を介して相互に接続されている。
【００４７】
ＣＰＵ４０１は、補助記憶部４０４に格納された各種プログラム（例えば、校正プログラム、画像処理プログラム、サイネージ制御プログラム、監視プログラム等）を実行するデバイスである。
【００４８】
ＲＯＭ４０２は不揮発性の主記憶デバイスである。ＲＯＭ４０２は、補助記憶部４０４に格納された各種プログラムを、ＣＰＵ４０１が実行するために必要な各種プログラム、データ等を格納する。具体的には、ＢＩＯＳ（Basic Input/Output System）やＥＦＩ（Extensible Firmware Interface）等のブートプログラムなどを格納する。
【００４９】
ＲＡＭ４０３は、ＤＲＡＭ（Dynamic Random Access Memory）やＳＲＡＭ（Static Random Access Memory）等の揮発性の主記憶デバイスである。ＲＡＭ４０３は、補助記憶部４０４に格納された各種プログラムがＣＰＵ４０１によって実行される際に展開される、作業領域を提供する。
【００５０】
補助記憶部４０４は、ＣＰＵ４０１により実行される各種プログラムや各種プログラムが実行される際に用いられる各種情報を格納する補助記憶デバイスである。補助記憶部４０４に格納される各種情報には、サイネージ対象情報、画像情報、スケジュール情報及び画像情報により管理される各種情報、補正パラメータ等が含まれる。なお、サイネージ対象情報管理部３７５、画像情報管理部３７６、スケジュール情報管理部３７７は、補助記憶部４０４により実現される。
【００５１】
表示部４０５は、各種画面を表示する表示デバイスである。入力部４０６は、情報処理装置３７０に各種情報を入力するための入力デバイスである。ネットワークＩ／Ｆ部４０７は、ネットワーク３９０と接続するためのインタフェースデバイスである。情報処理装置３７０は、プロジェクタ３１０＿１ａ〜３１０＿３０ｂ、制御装置３４０、時刻サーバ３６０との間で、ネットワークＩ／Ｆ部４０７を介して通信を行う。
【００５２】
ＵＳＢＩ／Ｆ部４０８は、ＵＳＢケーブルを接続するためのインタフェースデバイスである。情報処理装置３７０は、撮像装置３８１、色彩輝度計３８２との間で、ＵＳＢＩ／Ｆ部４０８を介してデータの送受信を行う。
【００５３】
＜５．各管理部に格納される情報＞
次に、情報処理装置３７０の各管理部（サイネージ対象情報管理部３７５、画像情報管理部３７６、スケジュール情報管理部３７７）に格納される各種情報（サイネージ対象情報、画像情報、スケジュール情報）について説明する。
【００５４】
（１）サイネージ対象情報
はじめに、サイネージ対象情報管理部３７５に格納されるサイネージ対象情報について説明する。図５は、サイネージ対象情報の一例を示す図である。図５（ａ）に示すように、サイネージ対象情報５００は、サイネージ対象ごとに生成される。本実施形態では、建物１１０のサイネージ対象ＩＤを、"Ｓ００１"としている。
【００５５】
また、図５（ａ）に示すように、サイネージ対象情報５００には、情報の項目として、"フロア"、"窓ＩＤ"、"窓情報"、"プロジェクタＩＤ"、"電動スクリーンＩＤ"、"電飾装置ＩＤ"が含まれる。
【００５６】
"フロア"には、建物１１０の外面の所定領域に含まれる窓ガラス群１２０が取り付けられているフロアを示すフロア番号が格納される。
【００５７】
"窓ＩＤ"には、建物１１０の外面の所定領域に含まれる窓ガラス群１２０の各窓ガラスを識別するための識別子が格納される。
【００５８】
"窓情報"には、更に、"位置"、"横サイズ"、"縦サイズ"が含まれる。ここで、図５（ｂ）を参照しながら、"窓情報"に含まれる窓ガラスの"位置"、"横サイズ"、"縦サイズ"について説明する。
【００５９】
図５（ｂ）に示すように、画像投影システム３００では、建物１１０の外面の所定領域５１０を利用して、大規模なデジタルサイネージを実現する。このとき、画像投影システム３００では、所定領域５１０に含まれる各窓ガラスのレイアウトを特定するための基準となる点（原点）と、基準となる軸（ｘ軸、ｙ軸）とを規定する。
【００６０】
図５（ｂ）において、点５２０は、所定領域５１０における原点を示している。また、軸５３０は、所定領域５１０において点５２０を原点とした場合のｘ軸を示しており、軸５４０は、所定領域５１０において点５２０を原点とした場合のｙ軸を示している。
【００６１】
図５（ｂ）に示すように、所定領域５１０、原点５２０、ｘ軸５３０、ｙ軸５４０を規定することで、各窓ガラスのレイアウト（位置、横サイズ、縦サイズ）を一意に特定することができる。
【００６２】
図５（ａ）の説明に戻る。"位置"には、建物１１０の外面の所定領域５１０において、各窓ガラスの左下の角の位置を示す座標が格納される。図５（ａ）の場合、窓ＩＤ＝"Ｗ２０１"の窓ガラスの左下の角の位置の座標は、原点（０，０）である。
【００６３】
"横サイズ"には、各窓ガラスの横方向の長さ（幅）が格納される。例えば、窓ＩＤ＝"Ｗ２０１"の窓ガラスの場合、左下の角の位置の座標が（０，０）であり、右下の角の位置の座標が（ｘ１２，０）である。したがって、横サイズ＝"ｘ１２"となる。また、窓ＩＤ＝"Ｗ２０２"の窓ガラスの場合、左下の角の位置の座標が（ｘ２１，０）であり、右下の角の位置の座標が（ｘ２２，０）である。したがって、横サイズ＝"ｘ２２−ｘ２１"となる。
【００６４】
"縦サイズ"には、各窓ガラスの縦方向の長さ（高さ）が格納される。例えば、窓ＩＤ＝"Ｗ２０１"の窓ガラスの場合、左下の角の位置の座標が（０，０）であり、左上の角の位置の座標が（０，ｙ１２）である。したがって、縦サイズ＝"ｙ１２"となる。また、窓ＩＤ＝"Ｗ３０１"の窓ガラスの場合、左下の角の位置の座標が（０，ｙ２１）であり、左上の角の位置の座標が（０，ｙ２２）である。したがって、縦サイズ＝"ｙ２２−ｙ２１"となる。
【００６５】
"プロジェクタＩＤ"には、各窓ガラスに対応する位置に配置されたプロジェクタを識別するための識別子が格納される。図５（ａ）の例は、窓ＩＤ＝"Ｗ２０１"により識別される窓ガラスに対応する位置には、プロジェクタＩＤ＝"ＰＪ２０１Ａ"、"ＰＪ２０１Ｂ"により識別されるプロジェクタが配置されていることを示している。
【００６６】
"電動スクリーンＩＤ"には、各窓ガラスに対応する位置に配置された電動スクリーンを識別するための識別子が格納される。図５（ａ）の例は、窓ＩＤ＝"Ｗ２０１"により識別される窓ガラスに対応する位置には、電動スクリーンＩＤ＝"ＳＣ２０１"により識別される電動スクリーンが配置されていることを示している。
【００６７】
"電飾装置ＩＤ"には、各フロアのいずれかの窓ガラスに対応する位置に配置された電飾装置を識別するための識別子が格納される。図５（ａ）の例は、フロア＝"２Ｆ"により識別されるフロアには、電飾装置ＩＤ＝"Ｅ２００"により識別される電飾装置が配置されていることを示している。
【００６８】
（２）画像情報
次に、画像情報管理部３７６に格納される画像情報について説明する。図６は、画像情報の一例を示す図である。図６に示すように、画像情報６００には、情報の項目として、"動画像ＩＤ"、"サイネージ対象ＩＤ"、"窓ＩＤ"、"プロジェクタＩＤ"が含まれる。また、画像情報６００には、情報の項目として、"補正パラメータＩＤ"、"算出日時"、"分割静止画像群ＩＤ"、"投影用動画像ＩＤ"、"生成日時"が含まれる。
【００６９】
"動画像ＩＤ"には、広告主から提供される元の動画像を識別するための識別子が格納される。図６の例は、動画像ＩＤとして"Ｃ１００"により識別される動画像が、画像情報管理部３７６に格納されていることを示している。
【００７０】
"サイネージ対象ＩＤ"には、広告主から提供される動画像に基づいて大規模デジタルサイネージが実現される建物１１０を識別するための識別子が格納される。図６の例は、動画像ＩＤ＝"Ｃ１００"により識別される動画像に基づいて、サイネージ対象ＩＤ＝"Ｓ００１"により識別される建物１１０において、大規模デジタルサイネージが実現されることを示している。
【００７１】
"窓ＩＤ"には、サイネージ対象ＩＤ＝"Ｓ００１"により識別される建物１１０の外面の所定領域５１０に含まれる窓ガラス群１２０の各窓ガラスを識別するための識別子が格納される。
【００７２】
"プロジェクタＩＤ"には、窓ＩＤにより識別される窓ガラスに対応する位置に配置されたプロジェクタを識別するための識別子が格納される。
【００７３】
"補正パラメータＩＤ"には、校正部３７１により算出された補正パラメータを識別するための識別子が格納される。上述したとおり、第１の校正処理が実行されることで、校正部３７１では、窓ガラスごとに補正パラメータを算出するため、補正パラメータＩＤは、窓ＩＤと対応付けて格納される。"算出日時"には、補正パラメータが算出された日時が格納される。
【００７４】
"分割静止画像群ＩＤ"には、動画像ＩＤ＝"Ｃ１００"により識別される動画像に基づいて、投影用動画像群を生成する過程で生成された、分割静止画像群を識別するための識別子が格納される。
【００７５】
"投影用動画像ＩＤ"には、動画像ＩＤ＝"Ｃ１００"により識別される動画像に基づいて生成された、投影用動画像群に含まれる各投影用動画像を識別するための識別子が格納される。
【００７６】
"生成日時"には、投影用動画像ＩＤにより識別される各投影用動画像が生成された日時が格納される。
【００７７】
図６の例は、動画像ＩＤ＝"Ｃ１００"の動画像から、投影用動画像ＩＤ＝"Ｍ２０１Ａ"、"Ｍ２０１Ｂ"、・・・が生成されたことを示している。
【００７８】
また、図６の例は、投影用動画像ＩＤ＝"Ｍ２０１Ａ"の投影用動画像は、窓ＩＤ＝"Ｗ２０１"の窓ガラスに対応する位置に配置されたプロジェクタＩＤ＝"ＰＪ２０１Ａ"のプロジェクタにより投影されることを示している。
【００７９】
また、図６の例は、投影用動画像ＩＤ＝"Ｍ２０１Ａ"の投影用動画像の生成に際しては、"２０１６年５月２５日"に補正パラメータ（補正パラメータＩＤ＝"Ｐ２０１"）が算出されたことを示している。
【００８０】
また、図６の例は、補正された分割静止画像群ＩＤ＝"Ｃ２０１"の分割静止画像群が、当該補正パラメータ（補正パラメータＩＤ＝"Ｐ２０１"）により補正されたことを示している。更に、図６の例は、分割静止画像群ＩＤ＝"Ｃ２０１"の分割静止画像群に基づいて、"２０１６年６月１０日"に、投影用動画像ＩＤ＝"Ｍ２０１Ａ"及び"Ｍ２０１Ｂ"の投影用動画像がそれぞれ生成されたことを示している。
【００８１】
（３）スケジュール情報
次に、スケジュール情報管理部３７７に格納されるスケジュール情報について説明する。図７は、スケジュール情報の一例を示す図である。図７に示すように、スケジュール情報７００は、サイネージ対象ごとに生成される。また、図７に示すように、スケジュール情報７００には、情報の項目として、"時刻"、"サイネージ装置"が含まれる。
【００８２】
"時刻"には、サイネージ対象ＩＤ＝"Ｓ００１"により識別される建物１１０において、窓ガラス群１２０をデジタルサイネージとして利用できる時間帯が記載される。図７の例は、１０時００分から２２時００分までの間の時間帯において、窓ガラス群１２０をデジタルサイネージとして利用することが可能であることを示している。
【００８３】
"サイネージ装置"には、更に、"プロジェクタ"、"電動スクリーン"、"電飾装置"が含まれる。"プロジェクタ"には、プロジェクタ３１０＿ａ〜３１０＿３０ｂによる投影用動画像の投影時間帯が記載される。図７の例は、１８時００分から１９時００分の間に、動画像ＩＤ＝"Ｃ２００"に基づいて生成された投影用動画像群が投影されることを示している。また、２０時００分から２１時００分の間に、動画像ＩＤ＝"Ｃ１００"に基づいて生成された投影用動画像群が投影されることを示している。
【００８４】
"電動スクリーン"には、電動スクリーン３３０＿１〜３３０＿３０をＯＮ状態にする時間帯が記載される。電動スクリーン３３０＿１〜３３０＿３０がＯＮ状態になる時間帯は、プロジェクタ３１０＿１ａ〜３１０＿３０ｂによる投影用動画像群の投影時間帯と同じ時間帯である。したがって、１８時００分から１９時００分の間、及び２０時００分から２１時００分の間、電動スクリーン３３０＿１〜３３０＿３０はＯＮ状態になる。
【００８５】
"電飾装置"には、電飾装置１４０＿１〜１４０＿６をＯＮ状態にする時間帯が記載される。本実施形態において、電飾装置１４０＿１〜１４０＿６は、プロジェクタ３１０＿１ａ〜３１０＿３０ｂによる投影用動画像の投影時間外においてＯＮ状態になる。したがって、１７時００分から１８時００分の間、１９時００分から２０時００分の間、及び、２１時００分から２２時００分の間、電飾装置１４０＿１〜１４０＿６はＯＮ状態になる。
【００８６】
＜６．画像投影システムにおけるサイネージ処理の流れ＞
次に、画像投影システム３００におけるサイネージ処理の流れについて説明する。図８は、サイネージ処理の流れを示すフローチャートである。建物１１０において、画像投影システム３００の設置が完了することで、画像投影システム３００では、図８に示すサイネージ処理を実行する。
【００８７】
具体的には、ステップＳ８０１において、画像投影システム３００は、プロジェクタ３１０＿１ａ〜３１０＿３０ｂの校正処理（第１の校正処理及び第２の校正処理等）を行う。
【００８８】
ステップＳ８０２において、画像投影システム３００は、画像処理（投影用動画像（"Ｍ２０１Ａ"〜"Ｍ７０５Ｂ"）の生成及び各プロジェクタ３１０＿１ａ〜３１０＿３０ｂへの投影用動画像の送信等）を行う。
【００８９】
ステップＳ８０３において、画像投影システム３００は、サイネージ制御処理を行う。具体的には、画像投影システム３００は、プロジェクタ３１０＿１ａ〜３１０＿３０ｂによる投影用動画像群の投影、電動スクリーン３３０＿１〜３３０＿３０のＯＮ／ＯＦＦ制御、電飾装置１４０＿１〜１４０＿６のＯＮ／ＯＦＦ制御を行う。
【００９０】
なお、画像投影システム３００では、図８に示すサイネージ処理を実行している間、並行して、監視処理を実行するものとする。
【００９１】
＜７．校正処理の詳細＞
次に、画像投影システム３００における校正処理（ステップＳ８０１）の詳細について説明する。
【００９２】
（１）校正部の機能構成
はじめに、校正処理を実行する、情報処理装置３７０の校正部３７１の機能構成について説明する。図９は、情報処理装置の校正部の機能構成を示す図である。
【００９３】
図９に示すように校正部３７１は、第１校正部９１１及び第２校正部９１２を有する。第１校正部９１１は、第１の校正処理時に起動され、各種処理を実行する。具体的には、第１校正部９１１は、投影用動画像を生成する際に用いる補正パラメータを算出する。また、第１校正部９１１は、算出した補正パラメータを画像情報管理部３７６に格納するとともに、算出した補正パラメータを示す補正パラメータＩＤ及び算出日時を、窓ＩＤと対応付けて画像情報６００に格納する。これにより、画像処理部３７２では、プロジェクタ３１０＿１ａ〜３１０＿３０ｂにより投影された際に歪みのない投影用動画像を生成することができる。
【００９４】
第２校正部９１２は、第２の校正処理時に起動され、各種処理を実行する。具体的には、第２校正部９１２は、投影用動画像が所定の色味で投影されるよう、プロジェクタ３１０＿１ａ〜３１０＿３０ｂに対してＲＧＢレベルを設定する。
【００９５】
（２）第１の校正処理の流れ
次に、第１の校正処理の詳細について、図１１〜図１３を逐次参照しながら、図１０のシーケンス図に基づいて説明する。図１０は、第１の校正処理のシーケンス図である。
【００９６】
図１０に示すように、ステップＳ１００１において、操作者１０００は、情報処理装置３７０に対して、第１校正部９１１を起動させるための起動指示を入力する。
【００９７】
操作者１０００により起動指示が入力されたことに応じて、ステップＳ１００２では、第１校正部９１１が起動し、情報処理装置３７０の表示部４０５に、第１の校正処理を実行する対象を操作者１０００が選択するための選択画面を表示する。
【００９８】
ステップＳ１００３において、操作者１０００は、表示部４０５に表示された選択画面の中から、第１の校正処理を実行する窓ガラスを選択する。
【００９９】
操作者１０００により窓ガラスが選択されたことに応じて、第１校正部９１１が、選択された窓ガラスに対応する位置に配置されているプロジェクタを識別する。そして、ステップＳ１００４及びＳ１００５では、第１校正部９１１が、識別したプロジェクタそれぞれに対して、ランプＯＮ指示を送信する。
【０１００】
図１１は、第１の校正処理時に表示される情報処理装置の画面の一例を示す図である。第１校正部９１１が起動すると、情報処理装置３７０の表示部４０５には、選択画面１１００が表示される。図１１に示すように、選択画面１１００には、建物１１０の窓ガラス群１２０のレイアウト１１１０が含まれる。
【０１０１】
操作者１０００は、レイアウト１１１０内の窓ガラスを示す矩形ボタンを押圧し、完了ボタン１１２０を押圧することで、第１の校正処理を実行する窓ガラスを選択する。図１１の例は、矩形ボタン１１１１が押圧され、完了ボタン１１２０が押圧された様子を示している。
【０１０２】
矩形ボタン１１１１により特定される窓ガラスは、窓ＩＤ＝"Ｗ７０３"の窓ガラス１１２８である。図１１の下側に示すとおり、窓ガラス１１２８に対応する位置には、プロジェクタ３１０＿２８ａ（プロジェクタＩＤ＝"ＰＪ７０３Ａ"）とプロジェクタ３１０＿２８ｂ（プロジェクタＩＤ＝"ＰＪ７０３Ｂ"）とが配置されている。
【０１０３】
したがって、ステップＳ１００４において、第１校正部９１１は、プロジェクタ３１０＿２８ａにランプＯＮ指示を送信する。また、ステップＳ１００５において、第１校正部９１１は、プロジェクタ３１０＿２８ｂにランプＯＮ指示を送信する。なお、この時点で、窓ガラス１１２８の電動スクリーン３３０＿２８（電動スクリーンＩＤ＝"ＳＣ７０３"）はＯＮ状態になっているものとする。
【０１０４】
続いて、ステップＳ１００６において、第１校正部９１１は、校正パターン画像を生成する。第１校正部９１１は、校正パターン画像として、２つの異なる校正パターン画像を生成する。
【０１０５】
ステップＳ１００７において、第１校正部９１１は、プロジェクタ３１０＿２８ａに対して、第１の校正パターン画像を送信する。また、ステップＳ１００８において、第１校正部９１１は、プロジェクタ３１０＿２８ｂに対して、第２の校正パターン画像を送信する。
【０１０６】
ステップＳ１００９において、プロジェクタ３１０＿２８ａは、第１校正部９１１より送信された第１の校正パターン画像を投影する。また、ステップＳ１０１０において、プロジェクタ３１０＿２８ｂは、第１校正部９１１より送信された第２の校正パターン画像を投影する。
【０１０７】
ステップＳ１０１１において、操作者１０００は、投影された第１及び第２の校正パターン画像を撮像装置３８１を用いて撮影するために、撮像装置３８１に撮影指示を入力する。
【０１０８】
ステップＳ１０１２において、撮像装置３８１は、投影された第１及び第２の校正パターン画像について撮影処理を実行し、ステップＳ１０１３において、撮像装置３８１は撮影結果を情報処理装置３７０に送信する。
【０１０９】
図１２は、第１の校正処理時に投影される校正パターン画像の一例を示す図である。図１２に示すように、プロジェクタ３１０＿２８ａは、第１の校正パターン画像を投影し、プロジェクタ３１０＿２８ｂは、第２の校正パターン画像を投影する。操作者１０００は、第１及び第２の校正パターン画像を撮像装置３８１を用いて撮影することで、撮影結果を情報処理装置３７０に送信する。
【０１１０】
図１０の説明に戻る。ステップＳ１０１４において、操作者１０００は、第１の校正パターン画像と第２の校正パターン画像を入れ替えるための入れ替え指示を入力する。
【０１１１】
ステップＳ１０１５において、第１校正部９１１は、入れ替え指示に応じて、プロジェクタ３１０＿２８ａに第２の校正パターン画像を送信する。また、ステップＳ１０１６において、第１校正部９１１は、プロジェクタ３１０＿２８ｂに第１の校正パターン画像を送信する。
【０１１２】
ステップＳ１０１７において、プロジェクタ３１０＿２８ａは、第１校正部９１１より送信された第２の校正パターン画像を投影する。また、ステップＳ１０１８において、プロジェクタ３１０＿２８ｂは、第１校正部９１１より送信された第１の校正パターン画像を投影する。
【０１１３】
ステップＳ１０１９において、操作者１０００は、投影された第２及び第１の校正パターン画像を撮像装置３８１を用いて撮影するために、撮像装置３８１に撮影指示を入力する。
【０１１４】
ステップＳ１０２０において、撮像装置３８１は、投影された第２及び第１の校正パターン画像について撮影処理を実行し、ステップＳ１０２１において、撮像装置３８１は、撮影結果を情報処理装置３７０に送信する。
【０１１５】
図１３は、第１の校正処理時に投影される校正パターン画像の他の一例を示す図である。図１３に示すように、プロジェクタ３１０＿２８ａは、第２の校正パターン画像を投影し、プロジェクタ３１０＿２８ｂは、第１の校正パターン画像を投影する。操作者１０００は、第２及び第１の校正パターン画像を撮像装置３８１を用いて撮影することで、撮影結果を情報処理装置３７０に送信する。
【０１１６】
再び、図１０の説明に戻る。ステップＳ１０２２において、操作者１０００は、第１校正部９１１に対して、補正パラメータの算出に用いる撮影結果を指定する。ステップＳ１０２３において、第１校正部９１１は、操作者１０００により指定された撮影結果を読み出す。
【０１１７】
ステップＳ１０２４において、操作者１０００は、補正パラメータの算出指示を入力する。ステップＳ１０２５において、第１校正部９１１は、読み出した撮影結果に基づいて、補正パラメータを算出する。
【０１１８】
なお、第１校正部９１１において算出される補正パラメータには、第１及び第２の校正パターン画像に対して位置合わせ、スケール合わせ、歪み補正等の各種幾何学的な補正を行うための幾何学パラメータが含まれる。この幾何学パラメータは、例えば、電動スクリーンや投影装置の設置位置、投影装置の光学機器の個体差等の種々の要因によって変動する。このため、幾何学パラメータは、窓ガラス（電動スクリーンと投影装置との組み合わせ）ごとに異なる場合が多い。後述する画像処理部３７２では、窓ガラスごとに適切な幾何学パラメータを用いて補正を行うことで、図１のように投影した投影用動画像群１３０のうちの一部の投影用動画像が歪んで表示される、といった不具合が発生するのを回避する。
【０１１９】
第１校正部９１１は、補正パラメータの算出結果を画像情報管理部３７６に格納する。また、第１校正部９１１は、補正パラメータＩＤ（例えば、"Ｐ７０３"）及び、算出日時（例えば、"２０１６．５．２５"）を、窓ＩＤ（例えば、"Ｗ７０３"）と対応付けて画像情報６００に格納する。
【０１２０】
（３）第２の校正処理の流れ
次に、第２の校正処理の詳細について、図１５を参照しながら、図１４のシーケンス図に基づいて説明する。図１４は、第２の校正処理のシーケンス図である。
【０１２１】
図１４に示すように、ステップＳ１４０１において、操作者１０００は、情報処理装置３７０に対して、第２校正部９１２を起動させるための起動指示を入力する。
【０１２２】
操作者１０００により起動指示が入力されたことに応じて、ステップＳ１４０２では、第２校正部９１２が起動し、情報処理装置３７０の表示部４０５に、第２の校正処理を実行する対象を操作者１０００が選択するための選択画面を表示する。
【０１２３】
ステップＳ１４０３において、操作者１０００は、表示部４０５に表示された選択画面の中から、第２の校正処理を実行する窓ガラスを選択する。
【０１２４】
操作者１０００により窓ガラスが選択されたことに応じて、ステップＳ１４０４では、第２校正部９１２が、選択された窓ガラスに対応する位置に配置された電動スクリーンを識別し、識別した電動スクリーンに対して、スクリーンＯＦＦ指示を送信する。
【０１２５】
なお、図１４の例は、第１の校正処理同様、窓ＩＤ＝"Ｗ７０３"の窓ガラス１１２８が選択され、対応する電動スクリーン３３０＿２８に対して、スクリーンＯＦＦ指示が送信された場合を示している。
【０１２６】
第２校正部９１２よりスクリーンＯＦＦ指示が送信されたことに応じて、ステップＳ１４０５では、電動スクリーン３３０＿２８の電源がＯＦＦ状態になる。
【０１２７】
ステップＳ１４０６において、第２校正部９１２は、窓ＩＤ＝"Ｗ７０３"の窓ガラス１１２８に対応する位置に配置されたプロジェクタ３１０＿２８ａ（プロジェクタＩＤ＝"ＰＪ７０３Ａ"）に対して、ランプＯＮ指示を送信する。これにより、プロジェクタｎ'３１０＿２８ａのランプがＯＮ状態になる。
【０１２８】
ステップＳ１４０７において、操作者１０００は、情報処理装置３７０に対して、プロジェクタ３１０＿２８ａに白画像を投影するための投影指示を入力する。
【０１２９】
ステップＳ１４０８において、第２校正部９１２は、操作者１０００による白画像投影指示に応じて、プロジェクタ３１０＿２８ａに対して、白画像投影指示を送信する。
【０１３０】
ステップＳ１４０９において、プロジェクタ３１０＿２８ａは、第２校正部９１２より送信された白画像投影指示に応じて、全白投影を行う。
【０１３１】
ステップＳ１４１０において、操作者１０００は、プロジェクタ３１０＿２８ａにより全白投影された窓ガラスの色温度を測定するための測定指示を、色彩輝度計３８２に対して入力する。
【０１３２】
ステップＳ１４１１において、色彩輝度計３８２は、全白投影された窓ガラス１１２８の色温度を測定する。ステップＳ１４１２において、操作者１０００は、測定した色温度を情報処理装置３７０に設定する。
【０１３３】
ステップＳ１４１３において、第２校正部９１２は、操作者１０００により設定された色温度を、ＲＧＢレベルに変換する変換処理を行う。
【０１３４】
ステップＳ１４１４において、第２校正部９１２は、変換処理を行うことで算出したＲＧＢレベルを、プロジェクタ３１０＿２８ａに送信する。
【０１３５】
ステップＳ１４１５において、プロジェクタ３１０＿２８ａは、第２校正部９１２より送信されたＲＧＢレベルを設定する。
【０１３６】
図１５は、第２の校正処理時に投影される白画像の一例を示す図である。図１５に示すように、電動スクリーン３３０＿２８がＯＦＦ状態において、プロジェクタ３１０＿２８ａは、白画像を窓ガラス１１２８に投影する。また、操作者１０００は、色彩輝度計３８２を用いて窓ガラス１１２８の色温度を測定し、測定結果を情報処理装置３７０に送信する。これにより、情報処理装置３７０では、ＲＧＢレベルが算出され、プロジェクタ３１０＿２８ａには、測定結果に応じたＲＧＢレベルが設定される。
【０１３７】
図１４の説明に戻る。ステップＳ１４１６において、操作者１０００は、情報処理装置３７０に対して、第２の校正処理の終了指示を入力する。ステップＳ１４１７において、第２校正部９１２は、操作者１０００により終了指示が入力されたことに応じて、電動スクリーン３３０＿２８に対して、スクリーンＯＮ指示を送信する。
【０１３８】
第２校正部９１２よりスクリーンＯＮ指示が送信されたことに応じて、ステップＳ１４１８では、電動スクリーン３３０＿２８の電源がＯＮ状態になる。
【０１３９】
＜８．画像処理の詳細＞
次に、画像投影システム３００における画像処理（ステップＳ８０２）の詳細について説明する。
【０１４０】
（１）画像処理部の機能構成
はじめに、画像処理を実行する、情報処理装置３７０の画像処理部３７２の機能構成について説明する。図１６は、情報処理装置の画像処理部の機能構成を示す図である。
【０１４１】
図１６に示すように画像処理部３７２は、対象情報取得部１６１１、画像情報取得部１６１２、反転部１６１３、デコード部１６１４を有する。また、画像処理部３７２は、第１分割部１６１５、補正部１６１６、第２分割部１６１７、エンコード部１６１８、送信部１６１９を有する。
【０１４２】
対象情報取得部１６１１は、サイネージ対象情報管理部３７５より、サイネージ対象情報を読み出し、第１分割部１６１５に通知する。
【０１４３】
画像情報取得部１６１２は、画像情報管理部３７６より、広告主から提供された動画像を読み出し、反転部１６１３に通知する。
【０１４４】
反転部１６１３は、画像情報取得部１６１２より通知された動画像の左右を反転させる。画像投影システム３００では、透明または半透明の窓ガラスに対して内側から投影し、投影結果は、窓ガラスの外側から視聴されるため、予め左右を反転しておく必要があるからである。このように、反転部１６１３が反転処理を行うことで、広告主が意図した動画像とは左右が反転した動画像を視聴者が視聴する、といった事態を回避することができる。反転部１６１３は、反転後の動画像をデコード部１６１４に通知する。
【０１４５】
デコード部１６１４は、左右が判定された動画像をデコード処理し、フレーム単位に分解することで、静止画像群を抽出する。デコード部１６１４は、静止画像群に含まれる各静止画像を、順次、第１分割部１６１５に通知する。
【０１４６】
第１分割部１６１５は、第１の分割手段として機能する。第１分割部１６１５は、デコード部１６１４から順次通知された各静止画像について、対象情報取得部１６１１から通知されたサイネージ対象情報５００に基づいて、複数の静止画像に分割する第１分割処理を行う。これにより、第１分割部１６１５は、窓ガラスの位置及び窓ガラスのサイズに応じた分割静止画像（分割画像）を生成することができる。
【０１４７】
また、第１分割部１６１５は、格納手段としても機能する。第１分割部１６１５は、静止画像群に含まれる全ての静止画像について第１分割処理を行うことで取得した分割静止画像について、同じ窓ガラスの分割静止画像ごとにわけることで、複数の分割静止画像群を生成し、画像情報管理部３７６に格納する。
【０１４８】
また、第１分割部１６１５は、生成した複数の分割静止画像群それぞれに、分割静止画像群ＩＤを付し、窓ＩＤと対応付けて画像情報６００に格納する。
【０１４９】
さらに、第１分割部１６１５は、生成した複数の分割静止画像群それぞれを、窓ＩＤと対応付けて補正部１６１６に通知する。
【０１５０】
補正部１６１６は、補正手段の一例である。補正部１６１６は、第１分割部１６１５より通知された複数の分割静止画像群それぞれを、窓ＩＤに応じた補正パラメータを用いて補正する。また、補正部１６１６は、補正後の複数の分割静止画像群を第２分割部１６１７に通知する。
【０１５１】
第２分割部１６１７は、第２の分割手段として機能する。第２分割部１６１７は、補正部１６１６より通知された、補正後の複数の分割静止画像群それぞれを、プロジェクタ単位に分割する。補正部１６１６により生成された、補正後の複数の分割静止画像群は、それぞれ窓ガラス単位で生成されているため、第２分割部１６１７では、プロジェクタ単位に分割する。
【０１５２】
エンコード部１６１８は、プロジェクタ単位に分割された補正後の複数の分割静止画像群を、プロジェクタ単位でエンコード処理し、複数の投影用動画像を生成する。エンコード部１６１８は、生成した複数の投影用動画像を識別するための投影用動画像ＩＤと生成日時とを、プロジェクタＩＤと対応付けて画像情報６００に格納する。
【０１５３】
送信部１６１９は、送信手段の一例であり、エンコード部１６１８により生成された複数の投影用動画像を、対応するプロジェクタにそれぞれ送信する。なお、送信部１６１９が投影用動画像を、事前に、対応するプロジェクタに送信しておくことで、サイネージ制御部３７３では、投影開始時に、投影開始指示を送信すれば足りることになる。これにより、投影開始時に投影用動画像を送信する構成と比較して、投影用動画像の投影に遅延が生じる可能性を低減させることができる。
【０１５４】
（２）画像処理の具体例
次に、画像処理部３７２による画像処理の具体例について説明する。図１７は、画像処理の具体例を示す図である。
【０１５５】
図１７において、動画像１７１０は、動画像ＩＤ＝"Ｃ１００"の動画像であり、ＭＰＥＧ４形式で画像情報管理部３７６に格納されている。画像情報取得部１６１２が、動画像１７１０を読み出し、反転部１６１３に通知すると、反転部１６１３は、動画像１７１０の左右を反転させ、反転後の動画像１７１１を生成する。
【０１５６】
反転後の動画像１７１１は、デコード部１６１４においてデコード処理され、複数の静止画像からなる静止画像群として抽出される。更に、抽出された静止画像群に対しては、第１分割部１６１５が、サイネージ対象情報に基づく第１分割処理を行い、複数の分割静止画像群を生成する。
【０１５７】
なお、複数の分割静止画像群（分割静止画像群１７２０＿１、１７２０＿２、・・・１７２０＿３０）には、それぞれ、分割静止画像群ＩＤ（Ｃ２０１、Ｃ２０２、・・・Ｃ７０５）が付され、窓ＩＤと対応付けて画像情報６００に格納される。
【０１５８】
また、複数の分割静止画像群１７２０＿１、１７２０＿２、・・・１７２０＿３０に対しては、補正部１６１６が、それぞれ、対応する補正パラメータを用いて補正を行う。例えば、補正部１６１６は、分割静止画像群１７２０＿１を、補正パラメータ１７３０＿１（補正パラメータＩＤ＝"Ｐ２０１"）を用いて補正する。また、補正部１６１６は、分割静止画像群１７２０＿２を、補正パラメータ１７３０＿２（補正パラメータＩＤ＝"Ｐ２０２"）を用いて補正する。更に、補正部１６１６は、分割静止画像群１７２０＿３０を、補正パラメータ１７３０＿３０（補正パラメータＩＤ＝"Ｐ７０５"）を用いて補正する。
【０１５９】
補正パラメータにより補正された補正後の分割静止画像群１７２０＿１、１７２０＿２、・・・１７２０＿３０は、それぞれ、第２分割部１６１７により、プロジェクタ単位に分割される。例えば、補正後の分割静止画像群１７２０＿１がプロジェクタ単位に分割されることで、プロジェクタ３１０＿１ａ用の分割静止画像群１７４０＿１ａと、プロジェクタ３１０＿１ｂ用の分割静止画像群１７４０＿１ｂとが生成される。
【０１６０】
同様に、補正後の分割静止画像群１７２０＿３０がプロジェクタ単位に分割されることで、プロジェクタ３１０＿３０ａ用の分割静止画像群１７４０＿３０ａと、プロジェクタ３１０＿３０ｂ用の分割静止画像群１７４０＿３０ｂとが生成される。
【０１６１】
第２分割部１６１７によりプロジェクタ単位に分割された補正後の分割静止画像群１７４０＿１ａ〜１７４０＿３０ｂは、エンコード部１６１８によりエンコード処理が施される。これにより、エンコード部１６１８は、ＭＰＥＧ４形式の投影用動画像を生成する。
【０１６２】
例えば、エンコード部１６１８は、プロジェクタ３１０＿１ａ用の分割静止画像群１７４０＿１ａをエンコード処理することで、投影用動画像１７５０＿１ａを生成する。また、エンコード部１６１８は、プロジェクタ３１０＿１ｂ用の分割静止画像群１７４０＿１ｂをエンコード処理することで、投影用動画像１７５０＿１ｂを生成する。更に、エンコード部１６１８は、プロジェクタ３１０＿３０ａ用の分割静止画像群１７４０＿３０ａ、プロジェクタ３１０＿３０ｂ用の分割静止画像群１７４０＿３０ｂをエンコード処理することで、投影用動画像１７５０＿３０ａ、１７５０＿３０ｂを生成する。
【０１６３】
エンコード部１６１８は、生成した複数の投影用動画像１７５０＿１ａ〜１７５０＿３０ｂを識別するための投影用動画像ＩＤ（Ｍ２０１Ａ、Ｍ２０１Ｂ、・・・Ｍ７０５Ａ、Ｍ７０５Ｂ）及び生成日時を、プロジェクタＩＤと対応付けて画像情報６００に格納する。
【０１６４】
また、送信部１６１９は、生成された複数の投影用動画像１７５０＿１ａ〜１７５０＿３０ｂを、対応するプロジェクタに送信する。例えば、送信部１６１９は、投影用動画像１７５０＿１ａを、プロジェクタ３１０＿１ａに送信する。また、投影用動画像１７５０＿１ｂを、プロジェクタ３１０＿１ｂに送信する。更に、送信部１６１９は、投影用動画像１７５０＿３０ａを、プロジェクタ３１０＿３０ａに、投影用動画像１７５０＿３０ｂを、プロジェクタ３１０＿３０ｂにそれぞれ送信する。
【０１６５】
（３）画像処理の流れ
次に、画像処理の流れについて、図１８のフローチャートに基づいて説明する。図１８は、画像処理の流れを示すフローチャートである。
【０１６６】
ステップＳ１８０１において、画像情報取得部１６１２は、画像情報管理部３７６より動画像を取得する。
【０１６７】
ステップＳ１８０２において、対象情報取得部１６１１は、サイネージ対象情報管理部３７５より、サイネージ対象情報５００を取得する。
【０１６８】
ステップＳ１８０３において、反転部１６１３は、ステップＳ１８０１において取得した動画像に対して、左右反転処理を行う。
【０１６９】
ステップＳ１８０４において、デコード部１６１４は、反転後の動画像をデコード処理することで、静止画像群を抽出する。
【０１７０】
ステップＳ１８０５において、第１分割部１６１５は、静止画像カウンタｎに１を代入する。
【０１７１】
ステップＳ１８０６において、第１分割部１６１５は、ｎ番目の静止画像に対して、第１分割処理を行う。なお、第１分割処理のフローチャートの詳細は、後述する。
【０１７２】
ステップＳ１８０７において、第１分割部１６１５は、全ての静止画像について第１分割処理を行ったか否かを判定する。ステップＳ１８０７において、第１分割処理を行っていない静止画像があると判定した場合には（ステップＳ１８０７においてＮｏの場合には）、ステップＳ１８０８に進む。ステップＳ１８０８において、第１分割部１６１５は、静止画像カウンタｎをインクリメントした後、ステップＳ１８０６に戻る。
【０１７３】
一方、ステップＳ１８０７において、全ての静止画像について第１分割処理を行ったと判定した場合には、ステップＳ１８０９に進む。
【０１７４】
ステップＳ１８０９において、第１分割部１６１５は、各静止画像について生成した複数の分割静止画像を、同じ窓ガラスに対応する分割静止画像ごとに分けることで、窓ガラス数分の分割静止画像群を生成し、画像情報管理部３７６に格納する。また、第１分割部１６１５は、生成した分割静止画像群ごとに分割静止画像群ＩＤを付し、窓ＩＤと対応付けて画像情報６００に格納する。
【０１７５】
ステップＳ１８１０において、補正部１６１６は、分割静止画像群カウンタｍに１を代入する。
【０１７６】
ステップＳ１８１１において、補正部１６１６は、ステップＳ１８０９において生成された分割静止画像群のうち、ｍ番目の分割静止画像群を、対応する補正パラメータを用いて補正する。
【０１７７】
ステップＳ１８１２において、第２分割部１６１７は、補正後のｍ番目の分割静止画像群について、第２分割処理を行う。
【０１７８】
ステップＳ１８１３において、第２分割部１６１７は、ステップＳ１８０９において生成された全ての分割静止画像群について、補正処理及び第２分割処理を行ったか否かを判定する。
【０１７９】
ステップＳ１８１３において、補正処理及び第２分割処理を行っていない分割静止画像群があると判定した場合には（ステップＳ１８１３においてＮｏの場合には）、ステップＳ１８１３に進む。
【０１８０】
ステップＳ１８１４において、補正部１６１６は、分割静止画像群カウンタｍをインクリメントし、ステップＳ１８１１に戻る。
【０１８１】
一方、ステップＳ１８１３において、全ての分割静止画像群について、補正処理及び第２分割処理を行ったと判定した場合には（ステップＳ１８１３においてＹｅｓの場合には）、ステップＳ１８１５に進む。
【０１８２】
ステップＳ１８１５において、エンコード部１６１８は、第２分割処理された分割静止画像群を、プロジェクタ単位でエンコード処理することで、複数の投影用動画像を生成する。また、エンコード部１６１８は、生成した複数の投影用動画像について、生成日時を画像情報６００に格納する。
【０１８３】
ステップＳ１８１６において、送信部１６１９は、生成された複数の投影用動画像を、対応するプロジェクタにそれぞれ送信する。
【０１８４】
（４）第１分割処理の詳細
次に、第１分割処理（ステップＳ１８０６）の詳細について図１９及び図２０を用いて説明する。図１９は、第１分割処理の流れを示すフローチャートである。また、図２０は、第１分割処理の一例を示す図である。
【０１８５】
ステップＳ１９０１において、第１分割部１６１５は、ｎ番目の静止画像を読み出す。図２０において、静止画像２０００は、第１分割部１６１５により読み出されたｎ番目の静止画像であるとする。
【０１８６】
ステップＳ１９０２において、第１分割部１６１５は、フロアカウンタｆに"２"を代入する。
【０１８７】
ステップＳ１９０３において、第１分割部１６１５は、１フロアあたりの窓ガラス数をカウントする窓カウンタｇに"１"を代入する。
【０１８８】
ステップＳ１９０４において、第１分割部１６１５は、サイネージ対象情報５００より、窓ＩＤ＝"Ｗｆ０ｇ"の"位置"、"横サイズ"、"縦サイズ"を読み出す。ここでは、ｆに"２"が代入され、ｇに"１"が代入されているため、窓ＩＤ＝"Ｗ２０１"の位置（（０，０））、横サイズ（ｘ１２）、縦サイズ（ｙ１２）が読み出される。
【０１８９】
ステップＳ１９０５において、第１分割部１６１５は、ステップＳ１９０４において読み出した位置、横サイズ、縦サイズを、静止画像２０００と所定領域５１０との対比に応じて、画素数に変換する。
【０１９０】
図２０に示すように、本実施形態において、静止画像２０００は、横４０００画素、縦８０００画素で構成されているものとする。この場合、位置＝"（０，０）"に対応する静止画像２０００上の画素は、位置＝"（０，０）"の画素となる。
【０１９１】
また、横サイズ（ｘ１２）に対応する静止画像２０００上の画素は、（ｘ１２／ｘ５２）×４０００により算出される画素となる。更に、縦サイズ（ｙ１２）に対応する静止画像２０００上の画素は、（ｙ１２／ｙ６２）×８０００により算出される画素となる。
【０１９２】
ステップＳ１９０６において、第１分割部１６１５は、ステップＳ１９０５において算出された画素に基づいて特定される矩形領域２００１を、静止画像２０００より切り出し、分割静止画像を生成する。
【０１９３】
ステップＳ１９０７において、第１分割部１６１５は、ｆフロアの全ての窓ガラスについて、第１分割処理を行ったか否かを判定する。ステップＳ１９０７において、第１分割処理を行っていない窓ガラスがあると判定した場合には（ステップＳ１９０７においてＮｏの場合には）、ステップＳ１９０８に進む。
【０１９４】
ステップＳ１９０８において、第１分割部１６１５は、窓カウンタｇをインクリメントした後、ステップＳ１９０４に戻る。これにより、ｇには"２"が代入されることになる。
【０１９５】
ステップＳ１９０４において、第１分割部１６１５は、サイネージ対象情報５００より、窓ＩＤ＝"Ｗ２０２"の位置（（ｘ２１，０））、横サイズ（ｘ２２−ｘ２１）、縦サイズ（ｙ１２）を読み出す。
【０１９６】
ステップＳ１９０５において、第１分割部１６１５は、ステップＳ１９０４において読み出した位置、横サイズ、縦サイズを画素数に変換する。
【０１９７】
図２０に示すように、位置（（ｘ２１，０））に対応する静止画像２０００上の画素は、（ｘ２１／ｘ５２）×４０００により算出される画素となる。また、横サイズ（ｘ２２−ｘ２１）に対応する静止画像２０００上の画素は、（ｘ２２／ｘ５２）×４０００により算出される画素となる。更に、縦サイズ（ｙ１２）に対応する静止画像２０００上の画素は、（ｙ１２／ｙ６２）×８０００により算出される画素となる。
【０１９８】
ステップＳ１９０６において、第１分割部１６１５は、ステップＳ１９０５において算出された画素に基づいて特定される矩形領域２００２を、静止画像２０００より切り出し、分割静止画像を生成する。
【０１９９】
ステップＳ１９０７において、第１分割部１６１５は、ｆフロアの全ての窓ガラスについて、第１分割処理を行ったか否かを判定する。ステップＳ１９０７において、第１分割処理を行っていない窓ガラスがあると判定した場合には（ステップＳ１９０７においてＮｏの場合には）、ステップＳ１９０８に進む。以降、ステップＳ１９０６において、矩形領域２００５が切り出されるまで、ステップＳ１９０４〜Ｓ１９０６の処理が繰り返される。
【０２００】
ステップＳ１９０７において、ｆフロアの全ての窓ガラスについて第１分割処理を行ったと判定した場合には（ステップＳ１９０７においてＹｅｓの場合には）、ステップＳ１９０９に進む。
【０２０１】
ステップＳ１９０９において、第１分割部１６１５は、全てのフロアについて第１分割処理を行ったか否かを判定する。ステップＳ１９０９において、第１分割処理を行っていないフロアがあると判定した場合には（ステップＳ１９０９においてＮｏの場合には）、ステップＳ１９１０に進む。
【０２０２】
ステップＳ１９１０において、第１分割部１６１５は、フロアカウンタｆをインクリメントした後、ステップＳ１９０３に戻る。以降、フロアカウンタｆ＝７において、矩形領域２０３０が切り出されるまで、ステップＳ１９０４〜Ｓ１９０７の処理が繰り返される。
【０２０３】
ステップＳ１９０９において、全てのフロアについて第１分割処理を行ったと判定した場合には（ステップＳ１９０９においてＹｅｓの場合には）、図１８のステップＳ１８０７に戻る。
【０２０４】
＜９．サイネージ制御処理の詳細＞
次に、画像投影システム３００によるサイネージ制御処理（ステップＳ８０３）の詳細について説明する。
【０２０５】
（１）サイネージ制御部の機能構成
はじめに、サイネージ制御処理を実行する、情報処理装置３７０のサイネージ制御部３７３の機能構成について説明する。図２１は、情報処理装置のサイネージ制御部の機能構成を示す図である。
【０２０６】
図２１に示すようにサイネージ制御部３７３は、同期部２１０１、開始制御部２１０２、終了制御部２１０３を有する。
【０２０７】
同期部２１０１は、時刻情報を出力する。また、同期部２１０１は、プロジェクタ３１０＿１ａ〜３１０＿３０ｂと、情報処理装置３７０との間で、時刻の同期を行う。具体的には、時刻サーバ３６０より時刻情報を受信し、出力する時刻情報を修正したうえで、プロジェクタ３１０＿１ａ〜３１０＿３０ｂに対して、修正した時刻情報を送信する。プロジェクタ３１０＿１ａ〜３１０＿３０ｂは、同期部２１０１より時刻情報を受信すると、内部で管理している時刻情報を修正して出力する。これにより、同期部２１０１は、プロジェクタ３１０＿１ａ〜３１０＿３０ｂと、情報処理装置３７０とで、正確な時刻情報に基づき時刻を同期させることができる。
【０２０８】
開始制御部２１０２は、スケジュール情報管理部３７７に格納されたスケジュール情報を読み出し、投影開始時刻を識別する。また、開始制御部２１０２は、各サイネージ装置の所要時間に関する情報に基づいて各サイネージ装置に対する指示タイミングを算出し、算出した指示タイミングで、各サイネージ装置に投影開始時の指示を送信する。これにより、サイネージ制御部３７３では、投影開始時に、各サイネージ装置の所要時間を考慮した制御を行うことができる。
【０２０９】
終了制御部２１０３は、スケジュール情報管理部３７７に格納されたスケジュール情報を読み出し、投影終了時刻を識別する。また、終了制御部２１０３は、各サイネージ装置の所要時間に関する情報に基づいて、各サイネージ装置に対する指示タイミングを算出し、算出したタイミングで各サイネージ装置に投影終了時の指示を送信する。これにより、サイネージ制御部３７３では、投影終了時に、各サイネージ装置の所要時間を考慮した制御を行うことができる。
【０２１０】
（２）サイネージ制御処理（起動）の流れ
次に、サイネージ制御部３７３によるサイネージ制御処理（起動）について、図２２のフローチャートに基づいて説明する。図２２は、サイネージ制御処理（起動）の流れを示すフローチャートである。
【０２１１】
ステップＳ２２０１において、同期部２１０１は、時刻サーバ３６０より時刻情報を受信し、情報処理装置３７０内部で管理している時刻情報を修正するとともに、プロジェクタ３１０＿１ａ〜３１０＿３０ｂに、修正した時刻情報を送信する。
【０２１２】
ステップＳ２２０２において、開始制御部２１０２は、スケジュール情報管理部３７７に格納されたスケジュール情報を読み出し、投影開始時刻を識別する。
【０２１３】
ステップＳ２２０３において、開始制御部２１０２は、スケジュール情報管理部３７７に格納された所要時間情報（詳細は後述）を読み出す。なお、所要時間情報は、スケジュール情報管理部３７７において、スケジュール情報７００に関連付けて格納されているものとする。
【０２１４】
ステップＳ２２０４において、開始制御部２１０２は、ステップＳ２２０２において識別した投影開始時刻と、ステップＳ２２０３において読み出した所要時間情報とに基づいて、各サイネージ装置に対する投影開始時の指示タイミングを算出する。
【０２１５】
図２３は、所要時間情報の一例及び各サイネージ装置に対する指示タイミングを示す図である。図２３（ａ）に示すように、所要時間情報２３００には、情報の項目として、"サイネージ装置に対する指示項目"、"所要時間"、"制御パターン"が含まれる。
【０２１６】
"サイネージ装置に対する指示項目"には、投影開始時に各サイネージ装置に対して行う指示項目が格納される。"所要時間"には、投影開始時の各サイネージ装置の動作にかかる時間が格納される。"制御パターン"には、投影開始時の各サイネージ装置の動作順序に関する情報が格納される。
【０２１７】
図２３（ａ）の例によれば、プロジェクタに対して、ランプＯＮ指示を送信してから、当該プロジェクタのランプのＯＮ状態が安定するまでには９０秒かかる。また、図２３（ａ）の例によれば、投影開始時に、ランプＯＮ指示は全フロアのプロジェクタに対して一括して送信される。
【０２１８】
また、図２３（ａ）の例によれば、各フロアに配置された全てのプロジェクタに対して、投影開始指示を送信してから、当該全てのプロジェクタにおいて投影用動画像の投影が開始されるまでに、１０秒かかる。また、図２３（ａ）の例によれば、投影開始時に、投影開始指示は全フロアのプロジェクタに対して一括して送信される。
【０２１９】
また、図２３（ａ）の例によれば、下のフロアから順次電飾装置をＯＦＦ状態にしていく場合、全てのフロアの電飾装置をＯＦＦ状態にするのに１０秒かかる。
【０２２０】
更に、図２３（ａ）の例によれば、下のフロアから順次電動スクリーンをＯＮ状態にしていく場合、全てのフロアの電動スクリーンをＯＮ状態にするのに１０秒かかる。
【０２２１】
このため、図２３（ｂ）のグラフ２３１０に示すように、開始制御部２１０２は、プロジェクタ３１０＿１ａ〜３１０＿３０ｂに対して、投影開始時刻の９０秒前に、ランプＯＮ指示を送信する。
【０２２２】
また、図２３（ｂ）のグラフ２３２０に示すように、開始制御部２１０２は、電飾ＯＦＦ指示を行う１０秒前に、プロジェクタ３１０＿１ａ〜３１０＿３０ｂに対して、投影用動画像の投影開始指示を送信する。
【０２２３】
また、図２３（ｂ）のグラフ２３３０に示すように、開始制御部２１０２は、下のフロアの電飾装置に対して、投影開始時刻の２０秒前（スクリーンＯＮ指示の１０秒前）に、電飾ＯＦＦ指示を送信する。
【０２２４】
また、図２３（ｂ）のグラフ２３４０に示すように、開始制御部２１０２は、下のフロアの電動スクリーンに対して、投影開始時刻の１０秒前に、スクリーンＯＮ指示を送信する。
【０２２５】
図２２の説明に戻る。ステップＳ２２０５において、開始制御部２１０２は、ステップＳ２２０４において算出した、各サイネージ装置に対する投影開始時の指示タイミングの時刻に到達したか否かを判定する。
【０２２６】
ステップＳ２２０５において、指示タイミングの時刻に到達していないと判定した場合には（ステップＳ２２０５においてＮｏの場合には）、指示タイミングの時刻に到達したと判定するまで待機する。
【０２２７】
一方、ステップＳ２２０５において、指示タイミングの時刻に到達したと判定した場合には（ステップＳ２２０５においてＹｅｓの場合には）、ステップＳ２２０６に進む。
【０２２８】
ステップＳ２２０６において、開始制御部２１０２は、指示タイミングの時刻に到達したサイネージ装置に対して指示を送信する。
【０２２９】
ステップＳ２２０７において、開始制御部２１０２は、全てのサイネージ装置に対して指示を送信したか否かを判定する。ステップＳ２２０７において、指示を送信していないサイネージ装置があると判定した場合には（ステップＳ２２０７においてＮｏの場合には）、ステップＳ２２０５に戻る。
【０２３０】
一方、ステップＳ２２０７において、全てのサイネージ装置に対して指示を送信したと判定した場合には（ステップＳ２２０７においてＹｅｓの場合には）、サイネージ制御処理（起動）を終了する。
【０２３１】
（３）サイネージ制御処理（終了）の流れ
次に、サイネージ制御処理（終了）について、図２４のフローチャートに基づいて説明する。図２４は、サイネージ制御処理（終了）の流れを示すフローチャートである。
【０２３２】
ステップＳ２４０１において、終了制御部２１０３は、スケジュール情報管理部３７７に格納されたスケジュール情報を読み出し、投影終了時刻を識別する。
【０２３３】
ステップＳ２４０１において、終了制御部２１０３は、スケジュール情報管理部３７７に格納された所要時間情報（詳細は後述）を読み出す。なお、所要時間情報は、スケジュール情報管理部３７７において、スケジュール情報７００に関連付けて格納されているものとする。
【０２３４】
ステップＳ２４０３において、終了制御部２１０３は、ステップＳ２４０１において識別した投影終了時刻と、ステップＳ２４０２において読み出した所要時間情報とに基づいて、各サイネージ装置に対する投影終了時の指示タイミングを算出する。
【０２３５】
図２５は、所要時間情報の一例及び各サイネージ装置に対する指示タイミングを示す図である。図２５（ａ）に示すように、所要時間情報２５００に含まれる情報の項目は、図２３（ａ）と同じであるため、ここでは説明を省略する。
【０２３６】
図２５（ａ）の例によれば、下のフロアから順次電動スクリーンをＯＦＦ状態にしていく場合、全てのフロアの電動スクリーンをＯＦＦ状態にするのに１０秒かかる。
【０２３７】
また、図２５（ａ）の例によれば、下のフロアから順次電飾装置をＯＮ状態にしていく場合、全てのフロアの電飾装置をＯＮ状態にするのに１０秒かかる。
【０２３８】
また、図２５（ａ）の例によれば、下のフロアから順次投影用動画像の投影を終了していく場合、全てのフロアの投影用動画像の投影を終了するのに１０秒かかる。
【０２３９】
更に、図２５（ａ）の例によれば、下のフロアから順次プロジェクタのランプをＯＦＦ状態にしていく場合、全てのフロアのプロジェクタのランプをＯＦＦ状態にするのに１０秒かかる。
【０２４０】
このため、図２５（ｂ）のグラフ２５１０に示すように、終了制御部２１０３は、下のフロアの電動スクリーンに対して、投影終了時刻の２０秒前（電飾ＯＮ指示の１０秒前）に、スクリーンＯＦＦ指示を送信する。
【０２４１】
また、図２５（ｂ）のグラフ２５２０に示すように、終了制御部２１０３は、下のフロアの電飾装置に対して、投影終了時刻の１０秒前に、電飾ＯＮ指示を送信する。
【０２４２】
また、図２５（ｂ）のグラフ２５３０に示すように、終了制御部２１０３は、下のフロアのプロジェクタに対して、スクリーンＯＦＦ指示と同じタイミングで、投影終了指示を送信する。
【０２４３】
更に、図２５（ｂ）のグラフ２５４０に示すように、終了制御部２１０３は、下のフロアのプロジェクタに対して、スクリーンＯＦＦ指示と同じタイミングで、ランプＯＦＦ指示を送信する。
【０２４４】
図２４の説明に戻る。ステップＳ２４０４において、終了制御部２１０３は、ステップＳ２４０３において算出した、各サイネージ装置に対する投影終了時の指示タイミングの時刻に到達したか否かを判定する。
【０２４５】
ステップＳ２４０４において、指示タイミングの時刻に到達していないと判定した場合には（ステップＳ２４０４においてＮｏの場合には）、指示タイミングの時刻に到達したと判定するまで待機する。
【０２４６】
一方、ステップＳ２４０４において、指示タイミングの時刻に到達したと判定した場合には（ステップＳ２４０４においてＹｅｓの場合には）、ステップＳ２４０５に進む。
【０２４７】
ステップＳ２４０５において、終了制御部２１０３は、指示タイミングの時刻に到達したサイネージ装置に対して指示を送信する。
【０２４８】
ステップＳ２４０６において、終了制御部２１０３は、全てのサイネージ装置に対して指示を送信したか否かを判定する。ステップＳ２４０６において、指示を送信していないサイネージ装置があると判定した場合には（ステップＳ２４０６においてＮｏの場合には）、ステップＳ２４０４に戻る。
【０２４９】
一方、ステップＳ２４０６において、全てのサイネージ装置に対して指示を送信したと判定した場合には（ステップＳ２４０６においてＹｅｓの場合には）、サイネージ制御処理（終了）を終了する。
【０２５０】
＜１０．監視処理の詳細＞
次に、画像投影システム３００における監視処理の詳細について説明する。なお、上述したように、画像投影システム３００では、図８に示すサイネージ処理を実行している間、並行して、監視処理を実行する。
【０２５１】
（１）監視部の機能構成
はじめに、監視処理を実行する、情報処理装置３７０の監視部３７４の機能構成について説明する。図２６は、情報処理装置の監視部の機能構成を示す図である。
【０２５２】
図２６に示すように、監視部３７４は、情報監視部２６０１、再生成部２６０２を有する。
【０２５３】
情報監視部２６０１は、画像情報６００を監視し、補正パラメータが算出された日時である"算出日時"と、補正パラメータを用いて補正されることで生成される投影用動画像の"生成日時"との前後関係を判定する。"算出日時"に格納されている日時の方が、"生成日時"に格納されている日時よりも後であると判定した場合、情報監視部２６０１は、対応する窓ＩＤを再生成部２６０２に通知する。
【０２５４】
再生成部２６０２は、再生成手段の一例である。再生成部２６０２は、情報監視部２６０１より窓ＩＤの通知を受けると、当該窓ＩＤに対応付けられた分割静止画像群について、新たな補正パラメータにより補正を行い、投影用動画像を再生成する。また、再生成部２６０２は、再生成した投影用動画像を、画像情報管理部３７６に格納するとともに、画像情報６００の"生成日時"を更新する。
【０２５５】
（２）監視処理の流れ
次に、監視処理について、図２７のフローチャートに基づいて説明する。図２７は、監視処理の流れを示すフローチャートである。
【０２５６】
ステップＳ２７０１において、情報監視部２６０１は、画像情報管理部３７６に格納された画像情報６００について監視し、"算出日時"が更新されたか否かを判定する。ステップＳ２７０１において、更新されていないと判定した場合（ステップＳ２７０１においてＮｏの場合には）、更新されたと判定されるまで待機する。
【０２５７】
一方、ステップＳ２７０１において、更新されたと判定した場合には（ステップＳ２７０１においてＹｅｓの場合には）、ステップＳ２７０２に進む。ここでは、補正パラメータＩＤ＝"Ｐ２０５"の補正パラメータが更新されたとする。
【０２５８】
ステップＳ２７０２において、情報監視部２６０１は、ステップＳ２７０１において"算出日時"が更新されたと判定した補正パラメータに対応付けられた窓ＩＤを、再生成部２６０２に通知する。再生成部２６０２は、通知された窓ＩＤに対応付けられた分割静止画像群（ここでは、分割静止画像群ＩＤ＝"Ｃ２０５"）を、画像情報管理部３７６より読み出す。
【０２５９】
ステップＳ２７０３において、再生成部２６０２は、ステップＳ２７０２において読み出した分割静止画像群（ここでは、分割静止画像群ＩＤ＝"Ｃ２０５"）に対して、"算出日時"が更新された補正パラメータを用いて補正処理を行う。ここでは、補正パラメータＩＤ＝"Ｐ２０５"の補正パラメータを用いて補正処理を行う。
【０２６０】
ステップＳ２７０４において、再生成部２６０２は、分割静止画像カウンタｐに"１"を代入する。
【０２６１】
ステップＳ２７０５において、再生成部２６０２は、ステップＳ２７０３において再補正された分割静止画像群（分割静止画像群ＩＤ＝"Ｃ２０５"）に含まれるｐ番目の分割静止画像について、第２分割処理を行う。
【０２６２】
ステップＳ２７０６において、再生成部２６０２は、再補正された分割静止画像群（分割静止画像群ＩＤ＝"Ｃ２０５"）に含まれる全ての分割静止画像について第２分割処理を行ったか否かを判定する。ステップＳ２７０６において、第２分割処理を行っていない分割静止画像があると判定した場合には（ステップＳ２７０６においてＮｏの場合には）、ステップＳ２７０７に進む。
【０２６３】
ステップＳ２７０７において、再生成部２６０２は、分割静止画像カウンタｐをインクリメントした後、ステップＳ２７０５に戻る。
【０２６４】
一方、ステップＳ２７０６において、全ての分割静止画像について第２分割処理を行ったと判定した場合には（ステップＳ２７０６においてＹｅｓの場合には）、ステップＳ２７０８に進む。
【０２６５】
ステップＳ２７０８において、再生成部２６０２は、第２分割処理された分割静止画像群を、プロジェクタ単位でエンコード処理することで、投影用動画像（投影用動画像ＩＤ＝"Ｍ２０５Ａ"、"Ｍ２０５Ｂ"）を再生成する。
【０２６６】
ステップＳ２７０９において、再生成部２６０２は、再生成した投影用動画像（投影用動画像ＩＤ＝"Ｍ２０５Ａ"、"Ｍ２０５Ｂ"）を、対応するプロジェクタ（プロジェクタＩＤ＝"ＰＪ２０５Ａ"、"ＰＪ２０５Ｂ"）にそれぞれ送信する。
【０２６７】
ステップＳ２７１０において、再生成部２６０２は、画像情報６００において、再生成した投影用動画像（投影用動画像ＩＤ＝"Ｍ２０５Ａ"、"Ｍ２０５Ｂ"）の"生成日時"を更新する。
【０２６８】
これにより、監視部３７４によれば、投影用動画像を生成した後に、補正パラメータが変更された場合であっても、変更後の補正パラメータを反映した投影用動画像を再生成することが可能になる。この結果、補正パラメータが変更された窓ガラスに対応する電動スクリーンにおいても、歪みのない投影用動画像を投影することができる。
【０２６９】
＜１１．まとめ＞
以上の説明から明らかなように、本実施形態に係る画像投影システム３００では、
・広告主より提供される動画像を反転処理し、建物の外面の所定領域に含まれる複数の窓ガラスの位置及び大きさに基づいて、該反転処理した動画像の各フレームの静止画像を分割し、それぞれの静止画像から複数の分割静止画像を生成する。
・同じ窓ガラスに対応する各フレームの分割静止画像を用いて、窓ガラス数分の分割静止画像群を生成し、画像情報管理部に格納する。
・建物の外面の所定領域に含まれる複数の窓ガラスそれぞれに対応する位置に配置されたプロジェクタについて校正処理を行うことで生成したそれぞれの補正パラメータを用いて、分割静止画像群をそれぞれ補正する。
・補正した分割静止画像群それぞれを、更に、１つの窓ガラスに対応する位置に配置されたプロジェクタの数に応じて分割した後、エンコード処理することで、プロジェクタ単位の投影用動画像群を生成する。
・生成した投影用動画像群の各投影用動画像を、対応するプロジェクタを介して、複数の窓ガラスに対応する電動スクリーンそれぞれに投影する。
【０２７０】
これにより、複数の光透過面を組み合わせたデジタルサイネージを実現することが可能になる。
【０２７１】
また、本実施形態に係る画像投影システム３００では、
・生成した投影用動画像群それぞれを、対応するプロジェクタに送信しておき、投影時間を定めたスケジュール情報に基づいて算出したタイミングで、複数の窓ガラスに対応する複数の電動スクリーンそれぞれに投影する。
・スケジュール情報に基づいて算出したタイミングで、電動スクリーン及び電飾装置の動作を制御する。
【０２７２】
これにより、投影開始時に投影用動画像を送信する構成と比較して、投影用動画像の投影に遅延が生じる可能性を低減することができるとともに、視覚効果の高いデジタルサイネージを実現することが可能になる。
【０２７３】
［第２の実施形態］
上記第１の実施形態では、サイネージ制御処理を行うにあたり、プロジェクタ３１０＿１ａ〜３１０＿３０ｂそれぞれを、個別に制御する構成とした。しかしながら、サイネージ制御処理におけるプロジェクタの制御方法はこれに限定されず、プロジェクタ３１０＿１ａ〜３１０＿３０ｂを、フロア単位で制御するように構成してもよい。
【０２７４】
例えば、サイネージ制御処理において、ランプＯＮ指示や投影開始指示は、プロジェクタ３１０＿１ａ〜プロジェクタ３１０＿５ｂ（２Ｆに配置されたプロジェクタ）に対して、共通に送信するように構成してもよい。
【０２７５】
あるいは、プロジェクタ３１０＿１ａ〜３１０＿３０ｂを一括して制御するように構成してもよい。例えば、サイネージ制御処理において、ランプＯＮ指示や投影開始指示を、プロジェクタ３１０＿１ａ〜プロジェクタ３１０＿３０ｂ（２Ｆ〜７Ｆに配置された全てのプロジェクタ）に対して共通に送信するように構成してもよい。
【０２７６】
同様に、上記第１の実施形態では、サイネージ制御処理を行うにあたり、電動スクリーン３３０＿１〜３３０＿３０それぞれを、個別に制御する構成とした。しかしながら、サイネージ制御処理における電動スクリーンの制御方法は、これに限定されず、電動スクリーン３３０＿１〜３３０＿３０を、フロア単位で制御するように構成してもよい。例えば、制御装置３４０が電動スクリーン３３０＿１〜３３０＿５（２Ｆに配置された電動スクリーン）について共通の電源タップを介して制御する構成とすることで、フロア単位で制御することが可能になる。
【０２７７】
あるいは、電動スクリーン３３０＿１〜３３０＿３０を一括して制御するように構成してもよい。例えば、制御装置３４０が、電動スクリーン３３０＿１〜３３０＿３０（２Ｆ〜７Ｆに配置された全ての電動スクリーン）について、共通の電源タップを介して制御する構成とすることで、全フロアについて共通の制御を行うことが可能になる。
【０２７８】
このように、建物１１０の外面の所定領域に取り付けられた窓ガラス群を、複数のグループ（例えば、フロアごとのグループ）に分類し、それぞれのグループに属する窓ガラスに対応する各サイネージ装置を、一括して制御する構成としてもよい。
【０２７９】
［第３の実施形態］
上記第１の実施形態では、第２の校正処理において、測定した色温度に応じて変換されたＲＧＢレベルに基づいてプロジェクタの設定を変更する構成とした。しかしながら、色温度は、例えば、時間帯、天候、建物内の明るさごとにそれぞれ測定しておき、それぞれの測定結果に応じたＲＧＢレベルに基づいて、プロジェクタの設定を変更する構成としてもよい。
【０２８０】
［その他の実施形態］
上記第１の実施形態では、１つの窓ガラスに２台のプロジェクタを配置する場合について説明したが、１つの窓ガラスに配置するプロジェクタの数は、２台に限定されない。例えば、１つの窓ガラスに配置するプロジェクタの数は、１台であってもよい。この場合、第２分割処理は実行されない。また、１つの窓ガラスに配置するプロジェクタの数は、３台以上であってもよい。この場合、第２分割処理では、第１分割処理により生成された分割静止画像群を、１つの窓ガラスに配置するプロジェクタの数に応じた数（所定数）に分割することになる。
【０２８１】
なお、１つの窓ガラスに配置するプロジェクタの数は、窓ガラスごとに異なっていてもよい。この場合、第２分割処理では、窓ガラスごとに、分割数を変更することになる。
【０２８２】
また、上記第１の実施形態では、各窓ガラスの形状が矩形かつ平面である場合について説明したが、各窓ガラスの形状は矩形でなくてもよい。また、各窓ガラスの形状は曲面であってもよい。この場合、校正部３７１では、各窓ガラスの曲面形状に基づいて、補正パラメータを算出し、画像処理部３７２では、算出した補正パラメータを用いて、分割静止画像群を補正する。
【０２８３】
また、上記第１の実施形態では、各窓ガラスのサイズが同じである場合について説明したが、各窓ガラスのサイズは同じでなくてもよい。窓ガラスのサイズが異なっていた場合には、それぞれの窓ガラスのサイズに応じて、プロジェクタの投影範囲が調整され、それぞれの窓ガラスのサイズに応じて、第１分割処理が行われる。
【０２８４】
また、上記第１の実施形態では、動画像に基づいて投影用動画像を生成する場合について説明したが、静止画像に基づいて投影用静止画像を生成してもよい。
【０２８５】
また、上記第１の実施形態では、情報処理装置３７０が、校正部３７１、画像処理部３７２、サイネージ制御部３７３、監視部３７４を有するものとして説明したが、これらの機能の一部は、他のサイネージ装置において実現してもよい。
【０２８６】
また、上記第１の実施形態では、建物１１０の外面の所定領域に取り付けられた窓ガラスを投影対象として説明したが、投影対象は、窓ガラスに限定されず、他の光透過面であってもよい。また、光透過面は、建物１１０の外面の所定領域に取り付けられたものに限定されず、建物１１０内部の所定領域に取り付けられた光透過面であってもよいし、また、建物以外の物に取り付けられた光透過面であってもよい。
【０２８７】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０２８８】
１１０                            ：建物
１２０                            ：窓ガラス群
１３０                            ：投影用動画像群
３１０＿１ａ〜３１０＿３０ｂ      ：プロジェクタ
３２０＿１ａ〜３２０＿３０ｂ      ：外部メモリ
３３０＿１〜３３０＿３０          ：電動スクリーン
３４０                            ：制御装置
３６０                            ：時刻サーバ
３７０                            ：情報処理装置
３７１                            ：校正部
３７２                            ：画像処理部
３７３                            ：サイネージ制御部
３７４                            ：監視部
３７５                            ：サイネージ対象情報管理部
３７６                            ：画像情報管理部
３７７                            ：スケジュール情報管理部
３８１                            ：撮像装置
３８２                            ：色彩輝度計
５００                            ：サイネージ対象情報
５１０                            ：所定領域
５２０                            ：原点
５３０                            ：ｘ軸
５４０                            ：ｙ軸
６００                            ：画像情報
７００                            ：スケジュール情報
９１１                            ：第１校正部
９１２                            ：第２校正部
１６１１                          ：対象情報取得部
１６１２                          ：画像情報取得部
１６１３                          ：反転部
１６１４                          ：デコード部
１６１５                          ：第１分割部
１６１６                          ：補正部
１６１７                          ：第２分割部
１６１８                          ：エンコード部
１６１９                          ：送信部
１７２０＿１〜１７２０＿３０      ：分割静止画像群
１７３０＿１〜１７３０＿３０      ：補正パラメータ
１７４０＿１ａ〜１７４０＿３０ｂ  ：静止画像群
１７５０＿１ａ〜１７５０＿３０ｂ  ：投影用動画像
２１０１                          ：同期部
２１０２                          ：開始制御部
２１０３                          ：終了制御部
２６０１                          ：情報監視部
２６０２                          ：再生成部
【先行技術文献】
【特許文献】
【０２８９】
【特許文献１】特開２０１５−２６９９２号公報
【特許文献２】特開２０１６−８５４３５号公報
【図１】
2018036478.tif 000003
【図２】
2018036478.tif 000004
【図３】
2018036478.tif 000005
【図４】
2018036478.tif 000006
【図５】
2018036478.tif 000007
【図６】
2018036478.tif 000008
【図７】
2018036478.tif 000009
【図８】
2018036478.tif 000010
【図９】
2018036478.tif 000011
【図１０】
2018036478.tif 000012
【図１１】
2018036478.tif 000013
【図１２】
2018036478.tif 000014
【図１３】
2018036478.tif 000015
【図１４】
2018036478.tif 000016
【図１５】
2018036478.tif 000017
【図１６】
2018036478.tif 000018
【図１７】
2018036478.tif 000019
【図１８】
2018036478.tif 000020
【図１９】
2018036478.tif 000021
【図２０】
2018036478.tif 000022
【図２１】
2018036478.tif 000023
【図２２】
2018036478.tif 000024
【図２３】
2018036478.tif 000025
【図２４】
2018036478.tif 000026
【図２５】
2018036478.tif 000027
【図２６】
2018036478.tif 000028
【図２７】
2018036478.tif 000029